(57)【要約】【課題】椅子組立体およびテーブル組立体を有する折り畳み式テーブルおよび椅子装置を提供すること。【解決手段】椅子組立体は、支持ブラケットと、支持ブラケットの上部にしっかりと取り付けられた椅子と、椅子の後端に枢動可能に取り付けられた背もたれと、椅子の前端に枢動可能に取り付けられ、かつ、水平位置へと前方へ枢動可能である足置きとを有する。テーブル組立体は、椅子組立体の正面に取り付けられており、椅子組立体の正面に取り付けられた壁板と、壁板の裏側に枢動可能に取り付けられ、かつ、水平位置へと下方へ枢動可能である折り畳み式テーブルとを有する。折り畳み式テーブルおよび椅子装置上では、使用者は完全に横になることが可能である。【選択図】図１
2016168174.tif 000002
【特許請求の範囲】
【請求項１】
支持ブラケットと、
前記支持ブラケットの上部にしっかりと取り付けられた椅子と、
前記椅子の後端に枢動可能に取り付けられた背もたれと、
前記椅子の前端に枢動可能に取り付けられ、かつ、水平位置へと前方へ枢動可能である足置きと、を有する椅子組立体と、
前記椅子組立体の正面に取り付けられたテーブル組立体であって、
前記椅子組立体の正面に取り付けられた壁板と、
前記壁板の裏側に枢動可能に取り付けられ、かつ、水平位置へと下方へ枢動可能である折り畳み式テーブルと、を有する、テーブル組立体と、を含む、
折り畳み式テーブルおよび椅子装置。
【請求項２】
前記壁板は、前記壁板の裏側において形成される２つのレールと、前記レール間で前記壁板の裏側において画成される受けスロットと、をさらに有し、前記折り畳み式テーブルは前記受けスロット内へと上方へ枢動可能であることを特徴とする、請求項１に記載の折り畳み式テーブルおよび椅子装置。
【請求項３】
前記壁板は、前記レール間で前記壁板の裏側において形成され、かつ、前記水平位置において前記折り畳み式テーブルの最低位置を制限する位置決めストッパをさらに有することを特徴とする、請求項２に記載の折り畳み式テーブルおよび椅子装置。
【請求項４】
前記椅子組立体は、前記足置きを駆動しかつ枢動するために、前記椅子と前記足置きとの間に取り付けられた少なくとも１つのトランスミッションモータをさらに有することを特徴とする、請求項３に記載の折り畳み式テーブルおよび椅子装置。
【請求項５】
２つの前記トランスミッションモータが、前記椅子の２つの対向する側面にそれぞれ取り付けられ、かつ、前記足置きの２つの対向する側面にそれぞれ連結されることを特徴とする、請求項４に記載の折り畳み式テーブルおよび椅子装置。
【請求項６】
前記テーブル組立体は、前記折り畳み式テーブルを駆動しかつ枢動するために、前記レールのうちの少なくとも１つと、前記折り畳み式テーブルとの間に取り付けられた少なくとも１つの駆動モータをさらに有することを特徴とする、請求項４に記載の折り畳み式テーブルおよび椅子装置。
【請求項７】
２つの前記駆動モータが、前記レールにそれぞれ取り付け可能であり、かつ、前記折り畳み式テーブルの２つの対向する側面にそれぞれ連結可能であることを特徴とする、請求項６に記載の折り畳み式テーブルおよび椅子装置。
【請求項８】
前記椅子組立体は、前記背もたれの２つの対向する側面にそれぞれ枢動可能に取り付けられた２つの肘掛けと、前記背もたれの上端に取り付けられた頭受けと、をさらに有することを特徴とする、請求項３に記載の折り畳み式テーブルおよび椅子装置。
【請求項９】
前記椅子は、空洞が画成されている外被と、前記外被に取り付けられ、かつ、前記空洞を覆うカバーと、を有することを特徴とする、請求項３に記載の折り畳み式テーブルおよび椅子装置。
【請求項１０】
前記椅子組立体および前記テーブル組立体は敷板に取り付けられることを特徴とする、請求項３に記載の折り畳み式テーブルおよび椅子装置。
【発明の詳細な説明】
【技術分野】
【０００１】
本発明は、テーブルおよび椅子装置に関し、より詳細には、椅子、甲板椅子、または、座る、横たわる、食事をする、または、読書するといった多数の行動のためのテーブルおよび椅子のセットに変更できる折り畳み式テーブルおよび椅子装置に関する。
【背景技術】
【０００２】
列車または高速列車内の従来の椅子は、縦並びに配置されている。各椅子の背もたれは、反転可能なテーブルであって、当該背もたれの後側に取り付けられ、かつ、食事用テーブルまたはデスクとして下方へ枢動可能であることで、背後の別の椅子に座っている乗客が当該テーブル上に食べ物または他の物品を置ける、反転可能なテーブルを有する。さらに、各椅子の下に足置きプレートが取り付けられ、それによって、乗客は足を足置きプレートの上に置いて、ぶら下がり状態によって足が疲れないようにできる。
【０００３】
しかしながら、縦並びに配置された前述の椅子では、乗客は完全に横になることはできない。
【０００４】
欠点を克服するために、本発明は、前述の問題を軽減するまたは未然に回避するような折り畳み式テーブルおよび椅子装置を提供する。
【発明の概要】
【発明が解決しようとする課題】
【０００５】
本発明の主な目的は、椅子、甲板椅子、または、座る、横たわる、食事をする、または、読書するといった多数の行動のためのテーブルおよび椅子のセットに変更できる折り畳み式テーブルおよび椅子装置を提供することである。
【課題を解決するための手段】
【０００６】
本発明による折畳み式テーブルおよび椅子装置は、椅子組立体およびテーブル組立体を含む。椅子組立体は、支持ブラケットと、支持ブラケットの上部にしっかりと取り付けられた椅子と、椅子の後端に枢動可能に取り付けられた背もたれと、椅子の前端に枢動可能に取り付けられ、かつ、水平位置へと前方へ枢動可能である足置きとを有する。テーブル組立体は、椅子組立体の正面に取り付けられており、椅子組立体の正面に取り付けられた壁板と、壁板の裏側に枢動可能に取り付けられ、かつ、水平位置へと下方へ枢動可能である折り畳み式テーブルとを有する。折り畳み式テーブルおよび椅子装置上では、使用者は完全に横になることが可能である。
【０００７】
本発明の他の目的、利点および今までにない特徴は、添付図面と併せて、以下の詳細な説明からより明らかとなろう。
【図面の簡単な説明】
【０００８】
【図１】本発明による折畳み式テーブルおよび椅子装置の透視図である。
【図２】図１における折り畳み式テーブルおよび椅子装置の別の透視図である。
【図３】図１における折り畳み式テーブルおよび椅子装置の分解透視図である。
【図４】図３における折り畳み式テーブルおよび椅子装置の別の分解透視図である。
【図５】図１における折り畳み式テーブルおよび椅子装置の側面図である。
【図６】図５における折り畳み式テーブルおよび椅子装置の操作上の側面図である。
【図７】図５における折り畳み式テーブルおよび椅子装置の別の操作上の側面図である。
【発明を実施するための形態】
【０００９】
図１および２を参照する。本発明による折畳み式テーブルおよび椅子装置は、列車または自動車の内部空間において取り付け可能であり、敷板９０、椅子組立体１０、および、テーブル組立体２０を含む。
【００１０】
図３および４をさらに参照する。敷板９０を列車または自動車の内部空間において取り付け可能である。あるいは、敷板９０は列車または自動車における床であってよい。
【００１１】
椅子組立体１０は敷板９０に取り付けられており、支持ブラケット１１、椅子１２、背もたれ１３、足置き１４、２つの肘掛け１６、および、頭受け１７を有する。
【００１２】
支持ブラケット１１は敷板９０にしっかりと取り付けられる。
【００１３】
椅子１２は支持ブラケット１１の上部にしっかりと取り付けられ、外被１２０、カバー１２１、および、緩衝パッド１２２を有する。外被１２０には、印刷回路基板、ワイヤー、および、他の内部構成要素を収容するために、空洞が画成されている。カバー１２１は外被１２０に取り付けられ、かつ、空洞を覆う。緩衝パッド１２２はカバー１２１に取り付けられる。
【００１４】
背もたれ１３は椅子１２の後端に枢動可能に取り付けられる。
【００１５】
足置き１４は椅子１２の前端に枢動可能に取り付けられ、水平位置へと前方へ枢動可能である。
【００１６】
肘掛け１６は、背もたれ１３の２つの対向する側面にそれぞれ枢動可能に取り付けられる。
【００１７】
頭受け１７は背もたれ１３の上端に取り付けられる。
【００１８】
テーブル組立体２０は、椅子組立体１０の正面で敷板９０に取り付けられ、壁板２１および折り畳み式テーブル２２を有する。
【００１９】
壁板２１は、椅子組立体１０の正面で敷板９０に取り付けられ、２つの対向するレール２１１、受けスロット２１０、および、位置決めストッパ２１２を有する。レール２１１は壁板２１の裏側において形成される。受けスロット２１０は、レール２１１間で壁板２１の裏側において画成される。位置決めストッパ２１２は、レール２１１間で壁板２１の裏側において形成される。
【００２０】
折り畳み式テーブル２２は、レール２１１間で壁板２１の裏側において枢動可能に取り付けられ、受けスロット２１０内へと上方へ枢動するか、水平位置へと下方へ枢動可能である。さらに、位置決めストッパ２１２は、水平位置において、折り畳み式テーブル２２の最低位置を制限する。
【００２１】
さらに図５を参照する。足置き１４および折り畳み式テーブル２２は、両方共が水平位置へ枢動すると、互いに接触しかつ一直線になってベッドを形成し、使用者は当該ベッド上で完全に横になることが可能である。
【００２２】
さらに図６を参照する。足置き１４が垂直位置へと下方へ枢動し、折り畳み式テーブル２２が水平位置へと下方へ枢動すると、折り畳み式テーブル２２は食事用テーブルまたはデスクとしての役割を果たす。
【００２３】
さらに図７を参照する。折り畳み式テーブル２２を受けスロット２１０内に格納して、椅子組立体１０の正面の空間を広げることが可能である。
【００２４】
好ましい実施形態では、椅子組立体１０はさらに、足置き１４を駆動しかつ枢動するために、椅子１２と足置き１４との間に取り付けられた少なくとも１つのトランスミッションモータ１５を有する。あるいは、２つのトランスミッションモータ１５は椅子１２の２つの対向する側面にそれぞれ取り付けられ、かつ、足置き１４の２つの対向する側面にそれぞれ連結される。
【００２５】
好ましい実施形態では、テーブル組立体２０はさらに、折り畳み式テーブル２２を駆動しかつ枢動するために、レール２１１のうちの少なくとも１つと、折り畳み式テーブル２２との間に取り付けられた少なくとも１つの駆動モータ２３を有する。あるいは、２つの駆動モータ２３を、レール２１１にそれぞれ取り付け可能であり、かつ、折り畳み式テーブル２２の２つの対向する側面にそれぞれ連結可能である。
【００２６】
椅子組立体１０の足置き１４、および、テーブル組立体２０の折り畳み式テーブル２２は、水平位置へ枢動しかつ共に組み合わせられてベッドを形成し、それによって、乗客は、ベッド上に完全に横になることが可能である。足置き１４が非垂直位置へ枢動することによって、乗客は、その上に足を載せて疲れないようにできる。水平位置へ枢動する折り畳み式テーブル２２は、食事用テーブルまたはデスクとしての役割を果たし、それによって、乗客は、食べ物を食べる、本を読む、または、その上に私物品を置くことが可能である。
【００２７】
本発明の多数の特性および利点が、本発明の構造および機能の細部と共に、上述の説明において明らかにされているが、その開示は例示に過ぎない。添付の特許請求の範囲によって表される用語の広範な一般的意味によって示される限りにおいて、本発明の原理の範囲内で、細部、特に、部品の形状、サイズおよび配置に関して、変更可能である。
【図１】
2016168174.tif 000003
【図２】
2016168174.tif 000004
【図３】
2016168174.tif 000005
【図４】
2016168174.tif 000006
【図５】
2016168174.tif 000007
【図６】
2016168174.tif 000008
【図７】
2016168174.tif 000009
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
支持ブラケットと、
前記支持ブラケットの上部にしっかりと取り付けられた椅子と、
前記椅子の後端に枢動可能に取り付けられた背もたれと、
前記椅子の前端に枢動可能に取り付けられ、かつ、水平位置へと前方へ枢動可能である足置きと、を有する椅子組立体と、
前記椅子組立体の正面に取り付けられたテーブル組立体であって、
前記椅子組立体の正面に取り付けられた壁板と、
前記壁板の裏側に枢動可能に取り付けられ、かつ、水平位置へと下方へ枢動可能である折り畳み式テーブルと、を有する、テーブル組立体と、を含み、
前記壁板は、前記壁板の裏側において形成される２つのレールと、前記レール間で前記壁板の裏側において画成される受けスロットと、をさらに有し、前記折り畳み式テーブルは前記受けスロット内へと上方へ枢動可能であり、
前記壁板は、前記レール間で前記壁板の裏側において形成され、かつ、前記水平位置において前記折り畳み式テーブルの最低位置を制限する位置決めストッパをさらに有することを特徴とする、
折り畳み式テーブルおよび椅子装置。
【請求項２】
前記椅子組立体は、前記足置きを駆動しかつ枢動するために、前記椅子と前記足置きとの間に取り付けられた少なくとも１つのトランスミッションモータをさらに有することを特徴とする、請求項１に記載の折り畳み式テーブルおよび椅子装置。
【請求項３】
２つの前記トランスミッションモータが、前記椅子の２つの対向する側面にそれぞれ取り付けられ、かつ、前記足置きの２つの対向する側面にそれぞれ連結されることを特徴とする、請求項２に記載の折り畳み式テーブルおよび椅子装置。
【請求項４】
前記テーブル組立体は、前記折り畳み式テーブルを駆動しかつ枢動するために、前記レールのうちの少なくとも１つと、前記折り畳み式テーブルとの間に取り付けられた少なくとも１つの駆動モータをさらに有することを特徴とする、請求項２に記載の折り畳み式テーブルおよび椅子装置。
【請求項５】
２つの前記駆動モータが、前記レールにそれぞれ取り付け可能であり、かつ、前記折り畳み式テーブルの２つの対向する側面にそれぞれ連結可能であることを特徴とする、請求項４に記載の折り畳み式テーブルおよび椅子装置。
【請求項６】
前記椅子組立体は、前記背もたれの２つの対向する側面にそれぞれ枢動可能に取り付けられた２つの肘掛けと、前記背もたれの上端に取り付けられた頭受けと、をさらに有することを特徴とする、請求項１に記載の折り畳み式テーブルおよび椅子装置。
【請求項７】
前記椅子は、空洞が画成されている外被と、前記外被に取り付けられ、かつ、前記空洞を覆うカバーと、を有することを特徴とする、請求項１に記載の折り畳み式テーブルおよび椅子装置。
【請求項８】
前記椅子組立体および前記テーブル組立体は敷板に取り付けられることを特徴とする、請求項１に記載の折り畳み式テーブルおよび椅子装置。
【手続補正２】
【補正対象書類名】明細書
【補正対象項目名】０００６
【補正方法】変更
【補正の内容】
【０００６】
本発明による折畳み式テーブルおよび椅子装置は、椅子組立体およびテーブル組立体を含む。椅子組立体は、支持ブラケットと、支持ブラケットの上部にしっかりと取り付けられた椅子と、椅子の後端に枢動可能に取り付けられた背もたれと、椅子の前端に枢動可能に取り付けられ、かつ、水平位置へと前方へ枢動可能である足置きとを有する。
テーブル組立体は、椅子組立体の正面に取り付けられており、椅子組立体の正面に取り付けられた壁板と、壁板の裏側に枢動可能に取り付けられ、かつ、水平位置へと下方へ枢動可能である折り畳み式テーブルとを有する。
前記壁板は、前記壁板の裏側において形成される２つのレールと、前記レール間で前記壁板の裏側において画成される受けスロットと、をさらに有し、前記折り畳み式テーブルは前記受けスロット内へと上方へ枢動可能である。
前記壁板は、前記レール間で前記壁板の裏側において形成され、かつ、前記水平位置において前記折り畳み式テーブルの最低位置を制限する位置決めストッパをさらに有する。
折り畳み式テーブルおよび椅子装置上では、使用者は完全に横になることが可能である。
【手続補正３】
【補正対象書類名】図面
【補正対象項目名】図１
【補正方法】変更
【補正の内容】
【図１】
2016168174.tif 000010
【外国語明細書】
2016168174000001.pdf